(57)【要約】  一実施形態では、これらの教示の方法は、セキュリティアラートを管理するために遠隔サーバを利用するステップと、セキュリティシステムアップデートを施すために遠隔サーバを利用するステップと、セキュリティシステムを構成するために遠隔サーバを利用するステップとを含む。
2013522703.tif 000002
【特許請求の範囲】
【請求項１】
妨害活動の影響をより受けにくい（監視）セキュリティシステムを提供するための方法であって、
セキュリティアラートを管理するために遠隔サーバを利用するステップと、
前記セキュリティシステムと相互作用するために、前記遠隔サーバにより遠隔システムを利用するステップとを含み、前記遠隔システムは前記遠隔サーバと通信する、方法。
【請求項２】
セキュリティアラートを管理するために前記遠隔サーバを利用する前記ステップが、
アラートについてアラートの種類を求めるステップと、
識別ＩＤを前記アラートの種類にマージするステップと、
前記アラートの位置を特定するステップことと、
前記マージ済みのＩＤおよびアラートの種類、ならびに前記位置を、送信機およびあらかじめ選択した伝送方法を使って所定のサイトに伝送するステップと
を含む、請求項１に記載の方法。
【請求項３】
前記セキュリティシステムと相互作用するために、前記遠隔システムを利用する前記ステップが、
前記セキュリティシステムを作動可能にする／解除するために前記遠隔システムを利用するステップと、
所定のセキュリティ装置の機能にアクセスするステップと
を含む、請求項１に記載の方法。
【請求項４】
セキュリティアラートを管理するために前記遠隔サーバを利用する前記ステップが、
アラームを受け取る場合に所定のサイトと連絡を取るステップ
をさらに含む、請求項３に記載の方法。
【請求項５】
前記セキュリティシステムと相互作用するために、前記遠隔システムを利用する前記ステップが、
所定のセキュリティ装置からの出力を受け取るステップ
をさらに含む、請求項３に記載の方法。
【請求項６】
前記セキュリティシステムと相互作用するために、前記遠隔システムを利用する前記ステップが、
前記所定のセキュリティ装置によって捕捉されるイベントのログを生成するステップ
をさらに含む、請求項３に記載の方法。
【請求項７】
所定のセキュリティ装置の機能にアクセスする前記ステップが、
所定のセキュリティ装置の設定／パラメータを調節するステップ
を含む、請求項３に記載の方法。
【請求項８】
所定のセキュリティ装置の機能にアクセスする前記ステップが、
所定のセキュリティ装置のファームウェアを更新するステップ
を含む、請求項３に記載の方法。
【請求項９】
所定のセキュリティ装置の機能にアクセスする前記ステップが、
所定のセキュリティ装置に新たな特徴／機能を追加するステップ
を含む、請求項３に記載の方法。
【請求項１０】
所定のセキュリティ装置の機能にアクセスする前記ステップが、
所定のセキュリティ装置を制御するステップ
を含む、請求項３に記載の方法。
【請求項１１】
所定のセキュリティ装置の機能にアクセスする前記ステップが、
所定のセキュリティ装置の出力を要求するステップ
を含む、請求項３に記載の方法。
【請求項１２】
妨害活動の影響をより受けにくいセキュリティシステムを提供するための方法であって、
遠隔システムを利用するステップを含み、前記遠隔システムは、
前記セキュリティシステムを作動可能にし／解除し、
所定のセキュリティ装置の機能にアクセスし、
所定のセキュリティ装置からの出力を受け取る
ために遠隔サーバと通信する、方法。
【請求項１３】
前記遠隔システムが、
前記セキュリティ装置によって捕捉されるイベントのログを生成する
ためにさらに利用される、請求項１２に記載の方法。
【請求項１４】
セキュリティシステムを構成／保守／更新するための方法であって、
遠隔サーバによってアクセス可能な装置データベースにアクセスするステップであって、前記装置データベースは１つのセキュリティシステムごとに情報を有し、前記情報には、位置、システム設定、識別情報、セキュリティ装置の種類、前記１つのセキュリティシステム内の各セキュリティ装置の識別情報、および前記それぞれのセキュリティシステム内のセキュリティ装置の数が含まれる、装置データベースにアクセスするステップと、
前記セキュリティシステムに関する前記情報を、前記装置データベースから前記遠隔サーバによって取得するステップと、
前記セキュリティシステムをセットアップ／保守／更新するための情報を、遠隔システムに、または前記セキュリティシステム内のセキュリティ装置に、前記遠隔サーバによりネットワークを介して提供するステップと
を含む、方法。
【請求項１５】
前記セキュリティシステムが構成される場合、前記セキュリティシステム内の各セキュリティ装置を登録するステップであって、登録には、前記セキュリティシステム内の各セキュリティ装置に関する前記情報を前記装置データベース内に入力することが含まれる、登録するステップ
をさらに含む、請求項１４に記載の方法。
【請求項１６】
前記セキュリティシステムが更新される場合、更新されるまたは修正される前記セキュリティシステム内の各セキュリティ装置に関する前記情報を、前記装置データベース内で更新するステップ
をさらに含む、請求項１４に記載の方法。
【請求項１７】
前記セキュリティ装置を前記遠隔サーバによって監視するステップ
をさらに含む、請求項１４に記載の方法。
【請求項１８】
少なくとも１つの遠隔アラームコンソールであって、
少なくとも１個の第１のプロセッサと、
その中に具体化されたコンピュータ可読コードを有する少なくとも１つの第１のコンピュータ使用可能媒体とを含み、
前記コンピュータ可読コードは、前記少なくとも１個の第１のプロセッサに、
少なくとも１つのセキュリティ装置を含むセキュリティシステムを作動可能にさせ／解除させ、
前記少なくとも１つのセキュリティ装置からの所定のセキュリティ装置の機能にアクセスさせ、
前記少なくとも１つのセキュリティ装置からの所定のセキュリティ装置の出力を受け取らせる、
少なくとも１つの遠隔アラームコンソールと、
少なくとも１つのデータベースであって、前記データベースは前記セキュリティシステムに関する情報を有し、前記情報には、位置、システム設定、識別情報、前記少なくとも１つのセキュリティ装置に関するセキュリティ装置の種類および識別情報、ならびに前記セキュリティシステム内のセキュリティ装置の数が含まれる、少なくとも１つのデータベースと、
遠隔サーバであって、
少なくとも１つの第２のプロセッサと、
その中に具体化されたコンピュータ可読コードを有する少なくとも１つの第２のコンピュータ使用可能媒体とを含み、
前記コンピュータ可読コードは、前記少なくとも１個の第２のプロセッサに、
アラートについてアラートの種類を求めさせ、
識別ＩＤを前記アラートの種類にマージさせ、
前記アラートの位置を特定させ、
前記マージ済みのＩＤおよびアラートの種類、ならびに前記位置を、送信機およびあらかじめ選択した伝送方法を使って所定のサイトに伝送させ、
前記セキュリティシステムを作動可能にする／解除するために前記遠隔アラームコンソールを利用させ、
前記少なくとも１つのセキュリティ装置からの所定のセキュリティ装置の機能に前記遠隔アラームコンソールを用いてアクセスさせる、
遠隔サーバとを含み、
前記遠隔アラームコンソール、前記セキュリティシステム、および前記遠隔サーバは１つまたは複数のネットワークによって動作可能なように接続される、
監視システム。
【請求項１９】
前記第２のコンピュータ使用可能媒体の中の前記コンピュータ可読コードが、前記少なくとも１個の第２のプロセッサに、
アラームを受け取る場合に所定のサイトと連絡を取らせる、
請求項１８に記載の監視システム。
【請求項２０】
前記第２のコンピュータ使用可能媒体の中の前記コンピュータ可読コードが、前記少なくとも１個の第２のプロセッサに、
前記少なくとも１つのセキュリティ装置からの所定のセキュリティ装置の出力を受け取らせる、
請求項１８に記載の監視システム。
【請求項２１】
前記第２のコンピュータ使用可能媒体の中の前記コンピュータ可読コードが、前記少なくとも１個の第２のプロセッサに、
前記少なくとも１つのセキュリティ装置からの各セキュリティ装置によって捕捉されるイベントのログを、前記遠隔アラームコンソールによって生成させる、
請求項１８に記載の監視システム。
【請求項２２】
前記第２のコンピュータ使用可能媒体の中の前記コンピュータ可読コードが、前記少なくとも１個の第２のプロセッサに、
前記少なくとも１つのデータベースにアクセスさせ、
前記セキュリティシステムに関する前記情報を、前記少なくとも１つのデータベースから取得させ、
前記セキュリティシステムを構成／保守／更新するための情報を、前記遠隔アラームコンソールに、または前記少なくとも１つのセキュリティ装置からのセキュリティ装置に前記少なくとも１つのネットワークを介して提供させる、
請求項１８に記載の監視システム。
【請求項２３】
前記第２のコンピュータ使用可能媒体の中の前記コンピュータ可読コードが、前記少なくとも１個の第２のプロセッサに、
前記セキュリティシステムが構成される場合、前記少なくとも１つのセキュリティ装置のそれぞれを登録させ、登録には、前記セキュリティシステム内の各セキュリティ装置に関する前記情報を前記少なくとも１つのデータベース内に入力することが含まれる、
請求項２２に記載の監視システム。
【請求項２４】
前記第２のコンピュータ使用可能媒体の中の前記コンピュータ可読コードが、前記少なくとも１個の第２のプロセッサに、
前記セキュリティシステムが更新される場合、前記少なくとも１つのセキュリティ装置からの各セキュリティ装置に関する前記情報を前記少なくとも１つのデータベース内で更新させる、
請求項２２に記載の監視システム。
【請求項２５】
前記第２のコンピュータ使用可能媒体の中の前記コンピュータ可読コードが、前記少なくとも１個の第２のプロセッサに、
前記少なくとも１つのセキュリティ装置を監視させる、
請求項２２に記載の監視システム。
【請求項２６】
少なくとも１個のプロセッサと、
その中に具体化されたコンピュータ可読コードを有する少なくとも１つのコンピュータ使用可能媒体と
を含む、少なくとも１つの遠隔サーバを含み、
前記コンピュータ可読コードは、前記少なくとも１個のプロセッサに、
装置データベースにアクセスさせ、前記装置データベースは少なくとも１つのセキュリティシステムに関する情報を有し、前記情報には、位置、システム設定、識別情報、前記少なくとも１つのセキュリティシステム内の各セキュリティ装置に関するセキュリティ装置の種類および識別情報、ならびに前記少なくとも１つのセキュリティシステム内のセキュリティ装置の数が含まれ、
前記少なくとも１つのセキュリティシステムに関する前記情報を前記装置データベースから取得させ、
前記少なくとも１つのセキュリティシステムを構成／保守／更新するための情報を、遠隔アラームコンソールに、または前記少なくとも１つのセキュリティシステム内のセキュリティ装置に、ネットワークを介して提供させる、
構成／保守／更新システム。
【請求項２７】
前記コンピュータ使用可能媒体の中の前記コンピュータ可読コードが、前記少なくとも１個のプロセッサに、
前記少なくとも１つのセキュリティシステムが構成される場合、前記少なくとも１つのセキュリティ装置のそれぞれを登録させ、登録には、前記少なくとも１つのセキュリティシステム内の各セキュリティ装置に関する前記情報を前記少なくとも１つのデータベース内に入力することが含まれる、
請求項２６に記載の構成／保守／更新システム。
【請求項２８】
前記コンピュータ使用可能媒体の中の前記コンピュータ可読コードが、前記少なくとも１個のプロセッサに、
前記セキュリティシステムが更新される場合、前記少なくとも１つのセキュリティシステム内の各セキュリティ装置に関する前記情報を前記少なくとも１つのデータベース内で更新させる、
請求項２６に記載の構成／保守／更新システム。
【請求項２９】
前記コンピュータ使用可能媒体の中の前記コンピュータ可読コードが、前記少なくとも１個のプロセッサに、
前記少なくとも１つのセキュリティシステム内の所定のセキュリティ装置を監視させる、
請求項２６に記載の構成／保守／更新システム。
【請求項３０】
前記所定のサイトが、監視サイト、顧客、または１つもしくは複数の指定の緊急時機関のうちの少なくとも１つである、請求項４に記載の方法。
【請求項３１】
前記所定のサイトが、監視サイト、顧客、または１つもしくは複数の指定の緊急時機関のうちの少なくとも１つである、請求項１８に記載の監視システム。
【請求項３２】
前記所定のサイトが、監視サイト、顧客、または１つもしくは複数の指定の緊急時機関のうちの少なくとも１つである、請求項１９に記載の監視システム。
【発明の詳細な説明】
【技術分野】
【０００１】
これらの教示は、一般に商業用および住宅用セキュリティシステムの分野に関し、より具体的には、遠隔システムによって管理されるスマートホーム周辺装置およびセキュリティ周辺装置に、ユーザがインターネットを介して遠隔的にアクセスして制御できることに関する。
【背景技術】
【０００２】
現在のセキュリティシステムに関連する主な問題の１つは、システムに関連する機能の全てが、システムによって保護される構内に集中化されることである。コア動作コンポーネントおよび対応するシステム機能を監視構内の中心に配置することにより、そのシステムは妨害活動に非常に影響されやすくなり、その結果最初の侵入工作が行われるとそのシステムが動作不能となる可能性がある。システムは構内への侵入工作を検出できるかもしれないが、ひとたび監視構内に人物が侵入すると、監視されている構内における集中化されたセキュリティシステムの位置が原因で、侵入した人物は全セキュリティシステムにアクセスすることができる。そのため、特定の位置を保護する動作上の性質および対応する機能を、監視している位置において収納し保守することは、安全保護面での重大な懸念である。
【０００３】
アラームマネージャと中央監視ステーションとの間の限られた電話通信以外に、従来技術には非常に限られた遠隔オフサイトアクセスしかない。この遠隔アクセスの欠如のため、システムを保守し、更新し、補修するために技術者が顧客構内に行くことが必要となる。こうした訪問には費用および時間がかかる可能性があるが、さらに重要なことには、一層の脆弱性をもたらす問題に技術者が対処するのを待つ間システムが動作不能になる可能性がある。多くのシステムプロバイダは電話通信システムにつながれており、そのため遠隔的なアクセスおよび保守の点で極めて制約されるので、このことは現在の技術において重大な問題である。
【０００４】
さらに既存の技術では、訓練された技術者が、様々なスマートホーム周辺装置およびセキュリティ周辺装置をシステムと導入／統合する必要がある。遠隔機能の欠如と同様に、このプロセスは非常に時間がかかり、桁違いに高くつく可能性がある。加えて、システムにアクセスして診断するために電気に関する特化した知識が必要なことは、そのシステムがユーザフレンドリであること、および特化した専門知識なしに容易に保守できることを妨げる。
【発明の概要】
【発明が解決しようとする課題】
【０００５】
したがって、遠隔アクセスを可能にするセキュリティシステムを提供することが求められており、その遠隔アクセスは、周辺装置とのアクセス可能性および相互作用、様々な周辺装置との間の通信、ならびにシステムの診断および管理を可能にするものとする。
【０００６】
オフサイトシステムを利用することがさらに求められており、そうしたオフサイトシステムは、システムが様々な周辺装置およびアクセス装置と遠く離れて動作できるようにするための所要機能の全てを含む。
【課題を解決するための手段】
【０００７】
上記にならびにさらに進んで記載する問題、および他の問題を本教示によって解決する。これらの解決策および他の利点は、本明細書の以下に記載する教示の様々な実施形態によって達成される。
【０００８】
一実施形態では、妨害活動の影響をより受けにくいセキュリティシステムを提供するためのこれらの教示の方法は、セキュリティアラートを管理するために遠隔サーバを利用するステップと、セキュリティシステムを作動可能にする／解除するために別の遠隔システムを利用するステップとを含み、別の遠隔システムは遠隔サーバと通信する。別の実施形態では、これらの教示の方法は、セキュリティアラートを管理するために遠隔サーバを利用するステップと、セキュリティシステムアップデートを施すために遠隔サーバを利用するステップと、セキュリティシステムをセットアップするために遠隔サーバを利用するステップとを含む。一例では、セキュリティアラートを管理するステップが、アラートについてアラートの種類を求めるステップと、識別ＩＤをそのアラートの種類にマージするステップと、アラートの位置を特定するステップと、マージ済みのＩＤおよびアラートの種類、ならびに位置を、送信機およびあらかじめ選択した伝送方法を使って所定のサイトに伝送するステップとを含む。別の例では、セキュリティシステムをセットアップするステップが、セキュリティシステム内の各セキュリティ装置を装置データベースに照会するステップを含み、装置データベース内のデータは、顧客の位置、顧客のシステム設定（system preferences）、顧客の名前、ならびにセキュリティシステムによって利用されるセキュリティ装置の数および種類を含み、遠隔アラームキーパッド（遠隔アラームコンソールとも呼ぶ）を用いてセキュリティ装置を閲覧／制御できるようにする。
【０００９】
一実施形態では、これらの教示のシステムは、１個または複数個のプロセッサと、離れて位置するセキュリティ装置／スマートホーム装置および遠隔アラームコンソールとネットワークを介して通信するための１つまたは複数の通信装置と、その中に具体化された、１個または複数個のプロセッサにセキュリティアラートを管理させ、セキュリティシステムアップデートを施させ、セキュリティシステムをセットアップさせるコンピュータ可読コードを有する、１つまたは複数のコンピュータ使用可能媒体とを含む。
【００１０】
本教示を本教示の他の目的およびさらなる目的とともにより良く理解するために、添付図面および詳細な説明を参照し、本教示の範囲を特許請求の範囲の中で示す。
【図面の簡単な説明】
【００１１】
【図１】従来システムのコンポーネントおよび周辺装置が互いに、および中央監視ステーションとどのように相互作用するのかを例証する流れ図を示す。
【図２】本教示における主要コンポーネント、およびそれらの他のコンポーネントとの関係を示す。
【図３】本教示におけるアラームキーパッドと遠隔アラームパネルとの間の装置相互作用を示す。
【図４】本教示に記載の遠隔アラームパネル内に含まれるコンポーネントの図を示す。
【図５ａ】これらの教示の遠隔アラームキーパッドの一部分のブロック図表現を示す。
【図５ｂ】これらの教示の遠隔アラームパネルの一部分のブロック図表現を示す。
【発明を実施するための形態】
【００１２】
典型的には、従来システムは６つのコンポーネントを含む。すなわち、１）セキュリティ装置１０、２）セキュリティ装置用の管理アルゴリズムを含むアラームパネル２０、３）アラームキーパッド３０、４）ローカル電話回線４０、５）電話通信会社（「Ｔｅｌｃｏ」）６０、および６）セキュリティ中央監視ステーション７０である。従来システムでは、セキュリティ装置（例えば運動センサ、窓／扉センサ）およびアラームキーパッドが、直接のハードライン接続を介してアラームパネルと通信する。さらに、アラームパネルは様々なコマンドをアラームキーパッドから受け取ると、そうしたコマンドをセキュリティ装置に送る。アラートが発生する場合、セキュリティ装置がアラームパネルを介してアラームキーパッドに情報を送る。アラームキーパッドを介してある情報が特定の時間内に受け取られない場合、アラームパネルはアラートをローカル電話網およびＴｅｌｃｏを介してセキュリティ中央監視ステーションに伝送する。するとセキュリティ中央監視が信号を解釈し、同じ電話網を介してアラームパネルまたは顧客に伝達する。従来システムでは、セキュリティ装置、アラームパネル、およびアラームキーパッドが監視構内に物理的に組み込まれ（hardwired）、それにより限定された遠隔アクセス可能性および脆弱性を作り出す。さらに、ユーザがシステム状態にアクセスしまたはシステム状態を決定するには、ユーザがその構内に物理的にいなければならない。
【００１３】
本明細書で使用するとき、「遠隔」は、セキュリティ装置とは異なる物理的位置に配置されており、またはセキュリティ装置とは異なる物理的位置に移動される機能を有し、かつセキュリティ装置に物理的に接続されていないこと、またはシステムの異なる物理的位置からシステムにアクセスする能力を有することを指す。
【００１４】
本明細書で使用するとき、「物理的に接続される」には、無線接続によって接続されることまたは無線ネットワークに接続されることは含まれない。
【００１５】
本明細書で使用するとき、「監視サイト／センタ」は、セキュリティシステムから送られる様々なアラートまたは他の信号を受け取り、そうした信号を受け取って解釈した後、その信号およびその信号の解釈に基づいて自動応答または手動応答を行う、遠隔的な有人または無人のステーションを指す。一例では、受信信号は、信号の性質を示すプロトコルおよび信号の発生元の位置についてのインジケータを含む。
【００１６】
本明細書で使用するとき、「セキュリティ装置」には、運動センサ、窓／扉センサ、監視カメラ、近接アラーム、身元検証システム（例えばキーカード読取器、網膜スキャナ等）、圧力センサ、温度センサ、光センサ、匂い感知器（例えば煙感知器）などの装置が含まれるがこれだけに限定されない。本明細書で使用するとき、「セキュリティシステム」は、１つまたは複数のセキュリティ装置を含むシステムであり、このシステムは、１つまたは複数の位置において関心のある状況（セキュリティ脅威などであるがこれだけに限定されない）を引き起こし得るアクティビティについて監視し、検出し、観察し、または伝達するように設計され、導入され、動作される。
【００１７】
本明細書で使用するとき、「緊急時機関（Emergency authorities）」には、警察、消防、もしくは医療支援を提供する任意の政府機関、または緊急警察、消防、および医療サービスを提供するための顧客もしくは法の適用によって力を与えられる私的機関が含まれるがこれだけに限定されるべきではない。
【００１８】
ただし、本教示は、さらなる機能を提供し、上記に記載した問題を解決するために様々な経路(pathway)を取り入れる。図２に示すように、本教示の一実施形態は７つの全体的なコンポーネントを含む。すなわち、１）（従来システムのものと同様の）セキュリティ装置１１０、２）装置ゲートウェイ１２０、３）ルータモデム１３０、４）遠隔アラームキーパッド（アラームコンソールとも呼ぶ）１４０、本教示の一部の実施形態では、この遠隔アラームコンソール１４０は、「キーパッド」と呼ばれるが、電子的に実装されるかタッチディスプレイを使用して実装される）、５）インターネット１５０などだがこれだけに限定されないネットワーク、６）遠隔アラームパネル１６０、および７）セキュリティ中央監視７０である。装置ゲートウェイ１２０は、様々なセキュリティ装置の全てがその中で情報をルータモデム１３０に伝送する中心的コンジットの役割を果たし、ルータモデム１３０は、遠隔アラームパネル１４０に到達できるようにインターネット１５０を介してデータを送り、遠隔アラームパネル１４０はその情報を解釈し、インターネット１５０を介してセキュリティ中央監視１７０およびアラームキーパッド１４０に送る。アラームキーパッド１４０および装置ゲートウェイ１２０はどちらも、セキュリティ装置１１０から離れていることに留意すべきである。
【００１９】
遠隔アラームキーパッド（アラームコンソール）は、インターネットなどのネットワークにアクセスし、無線通信などだがこれだけに限定されない遠隔通信方法を用いて遠隔アラームパネルと通信することができる（１個または複数個のプロセッサを有する）携帯型のコンピュータ装置である。この機能は、コンピュータ化された様々な呼出し構造を利用して遠隔アラームパネルにアクセスし、通信することができる装置上に専門ソフトウェアを配置することによって達成される（コンピュータ使用可能媒体は、その中に具体化されたこの専門ソフトウェアを有し、この専門ソフトウェアは１個または複数個のプロセッサに本明細書に記載の方法を実行させる）。遠隔アラームキーパッド１４０（アラームコンソール）は、従来システムのアラームキーパッド２０と実質的に同様の機能を果たすが、これだけに限定されないがインターネットとソフトウェアなどのネットワークを使用するので、アラームパネルまたはセキュリティ装置のいずれにも物理的に接続する必要はない。しかし一実施形態では、アラームキーパッド１４０からの全ての通信が遠隔アラームパネル１６０を介して伝送されるので、アラームキーパッドはセキュリティ装置または装置ゲートウェイのいずれとも直接は通信しない。
【００２０】
遠隔アラームパネルは、アラームキーパッド（アラームコンソール）、セキュリティ中央監視、およびセキュリティ装置間のインターネットを介した通信を円滑化するので、システムの集中型インテリジェンスの役割を果たす。遠隔アラームパネルは、一実施形態では、各顧客の情報、システム構成、およびアラートを含むサーバである。この装置は遠隔地（例えばこれだけに限定されないがプロバイダの位置）に収納され、監視構内に配置する必要はない。ただし、遠隔アラームパネルの主要機能はソフトウェアアルゴリズムによって達成されるので、遠隔アラームパネルはハードウェア装置に限定されない。
【００２１】
従来システムと比べて、本教示はインターネットなどのネットワークを介した完全な遠隔機能を可能にする。もはや周辺装置のいずれも物理的に接続する必要も、中心に配置する必要もない。このことにより、インターネット（ネットワーク）接続を利用できるどの場所からもユーザがシステムにアクセスできるようになる。加えて、管理者機能がソフトウェアアップデートを遠隔的に提供するだけでなく、システムの多くの主要コンポーネントを診断し、保守することができる。
【００２２】
図３は、一実施形態におけるアラームキーパッド（アラームコンソール）１４０と遠隔アラームパネル１６０（図４の１６０）との間の相互作用をより詳細に示す。アラームキーパッド１４０および遠隔アラームパネル１６０上のソフトウェアを利用し、アラームキーパッド１４０は、１）システムを作動可能にする／解除すること、２）特定の装置の機能にアクセスすること、３）任意のカメラからビデオフィードを受け取ること、４）全てのイベントのログを取ること、５）緊急時機関と連絡を取ることなど、システムの様々なコンポーネントにアクセスすることができる。従来システムは通常、ユーザが作動可能にする／解除すること、および緊急時機関と連絡を取ることを可能にするので、従来システムは限られたアラームキーパッド機能を有する。遠隔アラームキーパッド１４０の強化された機能は、インターネット１５０などのネットワークを利用する遠隔操作によって示され、遠隔アラームキーパッド１４０が（図５ａのコンピュータ使用可能媒体３８０の中に具体化される）独自のソフトウェアおよび処理機能（図５ａのプロセッサ３６０）を有する特長によってさらに強化される。機能の全ては遠隔アラームパネル上で実行される。アラームキーパッドは、アラームキーパッドが遠隔アラームパネルと相互作用できるようにするアプリケーションを実行し、かかる相互作用は固定コンピュータ上で実行されるＰＣアプリケーション（これだけに限定されないが分散処理など）に似ている。アラームキーパッドが緊急時機関と連絡を取るためのリクエストを送ると、そのリクエストは遠隔アラームパネルを経て処理され、一実施形態では、遠隔アラームパネルは、そのリクエストに対するユーザ指定の反応を選択するためのデータベースおよび適当な論理アルゴリズムを有する。遠隔アラームパネルは、緊急時機関を直接呼び出すように、または中央監視センタにイベントアラートを送るように構成することができる。コア機能、アルゴリズム、および論理が遠隔アラームパネルのデータベースまたは同様の記憶域構成の中に含まれるので、ネットワークを介してシステムの構成を変更することができる。アラームキーパッドは、セキュリティおよびスマートホーム機能を制御するためにユーザが利用できるカスタムユーザインターフェイス（図５ａの３５０）を有する。この機能は、アラームキーパッドによって達成され、アラームキーパッドは、インターネット接続を利用できる場合はいつでも遠隔アラームパネルに直接通信するウェブコマンドを利用する（図５ａの通信インターフェイス３８５を参照されたい）。図５ａに、遠隔アラームキーパッドの一部分の一実施形態を示す。先に記載したコンポーネントが、接続コンポーネント３５５（コンピュータバスなど）によって動作可能に接続される。
【００２３】
セキュリティシステムとの相互作用は、遠隔アラームパネル１６０を用いて、場合によっては遠隔アラームキーパッド１４０とともに得られる。セキュリティシステムとの相互作用には、セキュリティシステムを作動可能にする／解除することまたはセキュリティシステム内の特定のセキュリティ装置を作動可能にする／解除すること、所定のセキュリティ装置の設定またはパラメータを調節すること、所定のセキュリティ装置のファームウェアを更新すること、所定の（選択した）セキュリティ装置に新たな特徴を追加すること、所定のセキュリティ装置の機能を拡張すること、所定のセキュリティ装置を制御すること、および所定のセキュリティ装置からの装置出力を要求し、装置出力を得ることが含まれるがこれだけに限定されない。これらの機能を図４に示す。遠隔アラームパネル１６０におけるソフトウェア（コンピュータ可読コード）が上記の機能を可能にする。
【００２４】
図４は、遠隔アラームパネル１６０のロジックの中に組み込まれた様々なコンポーネントおよび対応する経路を略述する。遠隔アラームパネル１６０は、アラートを遠隔的に管理し、遠隔アップデートを施し（セキュリティ装置またはシステムのファームウェア、新たな特徴を追加すること、機能を拡張することを含む）、設定またはパラメータの遠隔的な調節を施し、セキュリティ装置を遠隔的に制御し、装置出力を求めるリクエストを送りまたは装置出力を受け取り、システムを最初にセットアップするのに必要なソフトウェアを提供するので、システムの主要な遠隔機能を使用可能にする。図３に示すように、遠隔アラームパネル１６０は、ネットワーク１５０を介してセキュリティ装置および遠隔アラームキーパッド１４０から信号を受け取る。システムがセキュリティ装置、アラームキーパッド、または権限が付与された保守オペレータから信号を受け取ると、その信号は２つの経路すなわち、１）その信号がアラートを表すこと、または２）その信号が保守もしくはセットアップリクエストを表すこと、の一方をたどることができる。
【００２５】
信号がアラームアラートを表す場合（図４の２１０）は３つの主要ステップがある。すなわち、１）アラートの種類を求めるステップ（図４の２２０）、２）ＩＤをアラートの種類にマージするステップ（図４の２３０）、および３）そのアラートを適切な手段によって監視サイト、顧客、指定の緊急時機関、上記の組合せ、またはそれらの全てに同時に伝送するステップ（図４の２４０、２６０、２５０、２７０）である。アラートが受け取られると、アラームの性質を求めるために、Ademco（登録商標）コンタクトＩＤなどだがこれだけに限定されない業界標準の通信プロトコルが適用される。アラームの性質を求めると、業界標準のプロトコルを位置ＩＤデータベースにマージして、どのシステムが、したがってどの顧客がアラートを受け取っているのかを求める必要がある。アラートの種類およびアラートの位置を求めると、インターネット１５０を介して監視サイト１７０に（または顧客、指定の緊急時機関等、もしくはそれらの全てに同時に）警告する必要がある。ほとんどの監視サイトはアラートを受け取るために電話回線を利用するので、電話信号をインターネットを介して送り、監視サイトまたは他の受信サイトが適切に受信できるように、スマートフォンエミュレータを利用する必要があり得る。ただし監視サイト（または他の受信サイト）がＩＰ信号を受信し、解釈できる場合、アラートをインターネットを介して監視サイトに直接伝送することもできる。信号が構成（「セットアップ」とも呼ぶ）リクエストの場合（図４の２８０）、このプロセスには３つの主要コンポーネントがある。すなわち、１）装置およびアラームのセットアップ（図４の２９０）、２）装置の閲覧／制御（３１０）、３）装置ＤＢ（データベース）３３０である。システムが構成（セットアップ）されるか修正されるとき、ユーザがアラームキーパッド（アラームコンソール）を介して装置にアクセスできるようにするために、および遠隔アラームパネルが装置を適切に監視できるようにするために、様々なセキュリティ装置をシステム上で登録する必要がある。その結果、新たなセキュリティ装置が、そのセキュリティ装置を装置ＤＢ内で照会することにより、特定のユーザシステム上で登録される。この装置ＤＢは、顧客の位置、顧客のシステム設定、顧客の名前、ならびに顧客が利用するセキュリティ装置の数および種類が含まれるがこれだけに限定されない、特定の顧客についての情報の全てを含む。装置ＤＢは、セットアップ中にアクセスでき、または顧客がアラームキーパッド（アラームコンソール）を介してセキュリティ装置を閲覧もしくは／および制御したいときにアクセスできる集中化されたロケーションとして働く。必要な動作をロジック内で完了すると、結果として生じる、リクエストを促すための情報を、インターネットを介してセキュリティ装置またはアラームキーパッド（アラームコンソール）に伝送する。
【００２６】
一実施形態では、これらの教示の遠隔アラームパネルが、１個または複数個のプロセッサ（図５ｂの４６０）と、離れて位置するセキュリティ装置／スマートホーム装置およびアラームコンソールとネットワークを介して通信するための１つまたは複数の通信装置（図５ｂの４８５）と、その中に具体化された、１個または複数個のプロセッサにセキュリティアラートを管理させ、セキュリティシステムアップデートを施させ、セキュリティシステムをセットアップ、更新、または監視させるコンピュータ可読コードを有する、１つまたは複数のコンピュータ使用可能媒体（図５ｂの４８０）とを含む。一例では、この遠隔アラームパネルが、その中に具体化された先に記載したデータベース４５０を有する別のコンピュータ使用可能媒体も含む。図５ｂに、遠隔アラームパネル１６０の全体的構造の一実施形態を示す。
【００２７】
コア機能が離れているので、制御および機能の全てがネットワークからアクセス可能であり、その結果、監視構内にアクセスできる必要はない。更新または補修の大部分（約９９％）を、ソフトウェアアップデートにより遠隔的に直すことができる。このことは、全システムのミッションクリティカルなコンポーネントを中断させることなしに、ユーザに提供される特徴および機能をシステムプロバイダがトランスペアレントに強化できるようにする。ハードウェアおよびソフトウェアの問題が発生するとき、それらの問題を積極的に解決する能力を使い、ユーザゲートウェイを監視するために、遠隔管理ツールを使用する。
【００２８】
一例では、これだけに限定されないがインターネットなどのネットワークを、計算機能を備える遠隔装置、アラームキーパッド１４０（一例ではこれらの教示はその例だけに限定されず、iPod Touch（商標））によって利用して、別の遠隔地に導入される様々なセキュリティ周辺装置を管理し、制御し、それらと相互作用し、そこから情報を受け取る。この実施形態では、セキュリティシステムの全ての機能がコンピュータおよび周辺装置の位置から離れて存在する。全てのセキュリティ装置の管理、アラームアラート、アラームコンタクトＩＤの生成、遠隔監視センタへの通信は、計算機能を備える装置１４０およびセキュリティ周辺装置の位置から離れたサイトに全て存在する。
【００２９】
一例では、セキュリティ周辺装置を遠隔的に管理するために、ブロードバンド接続によって使用可能にされる機能の全てを利用する。全てのセキュリティ装置はブロードバンドゲートウェイを介し、全てのセキュリティ機能および構成が存在する遠隔データサイト、遠隔アラームパネル１６０に接続される。システムの構成および機能は、リモートコンピュータによって遠隔的にアクセスすることができる。作動可能にされた装置からの任意のアラーム、またはリモートコンピュータからの緊急アラートは、適切なコンタクトＩＤコード（一例では業界標準の伝送プロトコル）を発生させ、トランシーバを介して情報を中央監視ステーションに伝送する（例示的な一実施形態では、Sur−Gard（商標）レシーバおよびセキュリティ監視ソフトウェアを利用する）。一例では、セキュリティ装置とゲートウェイとの間のネットワーク接続が中断するとアラートが引き起こされる。遠隔アラームパネルの一部の特徴には以下のものが含まれる。
・ブロードバンドソフトウェアアラームマネージャ
・アラームマネージャは、監視位置内に物理的に組み込まれるアラームパネルに一般に関連する機能をエミュレートする
・ブロードバンド電話パルス／トーン発生器
・通信プロトコル用のブロードバンドソフトウェア（例示的な一実施形態ではAdemco（登録商標）コンタクトＩＤ通信プロトコルだが、等価のまたは他の通信プロトコルもこれらの教示の範囲に含まれる）
・トランシーバへのブロードバンドインターフェイス（例示的な一実施形態ではSur−Gard（商標）レシーバだが、等価のまたは他のトランシーバもこれらの教示の範囲に含まれる）
【００３０】
本教示の方法およびシステムは、アラームシステムの挙動に対する仮想制御を使い従来のアラームパネルキーパッドをエミュレートするためのコンピュータアプリケーションを使用して、セキュリティシステムおよびスマートホーム装置を制御できるようにする。コンピュータアプリケーションは、安全な無線接続を介して遠隔アラームパネルサイト１６０と通信し、全てのシステム装置にほぼ一定の通信入出力を提供するゲートウェイ１２０を介して通信バックする。コンピュータアプリケーションの一部の特徴には以下のものが含まれる。
ａ．セキュリティシステムを作動可能にする／解除する能力
ｂ．警察、消防、病院などの緊急時機関と連絡を取る能力
ｃ．スマートホーム装置を制御する能力
ｄ．ライブインターネットプロトコルビデオを閲覧し、パン・チルト・ズーム機能についてカメラ制御を開始する能力
ｅ．システム活動状況を含め、システム上の全てのアラームを閲覧する能力
【００３１】
先に記載した実施形態では、各アプリケーションは同一ネットワーク上に存在し、中央位置から同時アップデートを受け取ることができる。アプリケーションは、顧客が相互作用する必要なしに諸特徴を有効／無効にし、製品強化を追加するために、アップデートを遠隔的に受け取ることができる。
【００３２】
本教示を説明し定めるために、用語「実質的に」は、何らかの定量的比較、値、測定値、または他の表現に起因し得る固有の不確実性の度合を表すために本明細書で利用することを指摘しておく。また、用語「実質的に」は、問題の主題の基本機能の変化をもたらすことなしに、定量的表現が、明言した基準から変動してもよい度合を表すために本明細書で利用する。
【００３３】
本明細書に記載した要素およびコンポーネントは、さらなるコンポーネントにさらに分割し、または一まとめにして、同じ機能を実行するためのより少ないコンポーネントを形成してもよい。
【００３４】
各コンピュータプログラムは、アセンブリ言語、機械語、高水準手続き型プログラミング言語、オブジェクト指向プログラミング言語など、任意のプログラミング言語によって実装してもよい。プログラミング言語は、コンパイラ型プログラミング言語またはインタープリタ型プログラミング言語としてもよい。
【００３５】
各コンピュータプログラムは、コンピュータプロセッサが実行するための、コンピュータ可読記憶装置内に有形に具体化されるコンピュータプログラム製品によって実装してもよい。本発明の方法ステップは、入力に対して操作を行い、出力を生成することにより本発明の機能を実行するためのコンピュータ可読媒体上に有形に具体化されるプログラムを実行する、コンピュータプロセッサにより行ってもよい。
【００３６】
一般的形式のコンピュータ可読媒体には、例えば、フロッピーディスク、フレキシブルディスク、ハードディスク、磁気テープ、または他の任意の磁気媒体、ＣＤＲＯＭ、他の任意の光媒体、パンチカード、紙テープ、穿孔パターンを有する他の任意の物理媒体、ＲＡＭ、ＰＲＯＭ、ＥＰＲＯＭ、フラッシュＥＰＲＯＭ、他の任意のメモリチップまたはカートリッジ、またはコンピュータが読み取ることができる他の任意の媒体が含まれる。技術的観点から、機能記述材料で符号化される（ソフトウェアをインターネットで配布するために使用されるような）信号波または搬送波は、機能記述材料で符号化されるコンピュータ可読媒体と、どちらもコンピュータとの機能的相互関係を作り出す点で似ている。言い換えれば、コンピュータは、形式がディスクであろうと信号であろうと関係なく、符号化された機能を実行することができる。
【００３７】
本発明を様々な実施形態に関して説明してきたが、これらの教示は、特許請求の範囲の趣旨および範囲に含まれる多岐にわたるさらなる実施形態および他の実施形態も受け入れることができることを理解すべきである。
【図１】
2013522703.tif 000003
【図２】
2013522703.tif 000004
【図３】
2013522703.tif 000005
【図４】
2013522703.tif 000006
【図５ａ】
2013522703.tif 000007
【図５ｂ】
2013522703.tif 000008
【国際調査報告】
2013522703.tif 000009
2013522703.tif 000010
2013522703.tif 000011
2013522703.tif 000012